(57)【特許請求の範囲】
【請求項１】
セルラー通信システムの加入者が複数のサービスゾーンのいずれに位置しているかに依存して、前記複数のサービスゾーン夫々で提供される異なる所定のサービスに関係したメッセージを加入者に提供するセルラー通信システムであって、
前記システムのネットワーク側は、
前記加入者がサービスを受けるために、少なくとも１つのセルを含む利用可能なサービスゾーンに関連した情報を前記加入者の端末にセル単位で通知する通知手段を有し、
前記加入者の端末は、
前記通知手段により通知された前記情報を前記端末に予め格納されたサービスゾーンの情報と比較する比較手段と、
前記比較手段による比較結果に基づいて、加入者が利用できるサービスに対応するメッセージを表示する表示手段とを有し、
前記表示手段は、前記比較手段による比較結果、１つ以上のサービスゾーンにより提供されるサービスが利用可能である時に、より高位の優先順位がつけられたサービスゾーンに関するメッセージを表示するシステム。
【請求項２】
請求項１記載のセルラー通信システムにおいて、前記通知手段は、前記利用可能なサービスゾーンに関連した情報を、優先順位の順番で通知するシステム。
【請求項３】
請求項２記載のセルラー通信システムにおいて、該順番の優先順位は、最初に送信された利用可能なサービスゾーンに関連した情報に関連する最高優先順位から、最後に送信された利用可能なサービスゾーンに関連した情報に関連する最低優先順位までであるシステム。
【請求項４】
請求項２記載のセルラー通信システムにおいて、該順番の優先順位は、最初に送信された利用可能なサービスゾーンに関連した情報に関連する最低優先順位から、最後に送信された利用可能なサービスゾーンに関連した情報に関連する最高優先順位までであるシステム。
【請求項５】
請求項１記載のセルラー通信システムにおいて、前記システムのネットワーク側は、さらに、
該システム内の複数のサービスゾーンを定義する手段と、
前記サービスゾーン内に位置しているときの加入者に所定のサービスを送信する手段とを含むシステム。
【請求項６】
請求項５記載のセルラー通信システムにおいて、前記通知手段は、複数のサービスゾーンについての情報を送信するシステム。
【請求項７】
請求項５記載のセルラー通信システムにおいて、前記複数のサービスゾーンを定義する手段は、移動体通信交換センタ（ＭＳＣ）を含むシステム。
【請求項８】
請求項７記載のセルラー通信システムにおいて、前記通知手段は、前記ＭＳＣに電子的に接続された基地局を含み、該基地局は、前記セルの対応する１つにおいて、そのセルに関連する利用可能なサービスゾーンに関連した情報を通知するシステム。
【請求項９】
請求項５記載のセルラー通信システムにおいて、前記サービスゾーンのそれぞれに含まれるセルまたは複数のセルは、該セルラー通信システムのプロバイダによって選択されるシステム。
【請求項１０】
請求項７記載のセルラー通信システムであって、ホームロケーションレジスタ（ＨＬＲ）をさらに含み、利用可能なサービスゾーンに関連した情報は該ＨＬＲに格納されるシステム。
【請求項１１】
請求項１０記載のセルラー通信システムにおいて、当該ＭＳＣによって当該加入者の登録が完了すると、利用可能なサービスゾーンに関連した情報が、前記ＨＬＲから当該加入者に送信されるシステム。
【請求項１２】
セルラー通信システムにおける複数のサービスゾーンのいずれに加入者が位置しているかに依存して、前記複数のサービスゾーン夫々で提供される異なる所定のサービスに関係したメッセージを加入者に提供する方法であって、
前記システムのネットワーク側では、加入者がサービスを受けるために、少なくとも１つのセルを含む利用可能なサービスゾーンに関連した情報を前記加入者の端末にセル単位で通知する通知ステップと、
前記端末では、前記通知するステップにおいて通知された前記情報を、前記端末に予め格納されたサービスゾーンの情報と比較する比較ステップと、
前記端末では、前記比較ステップにおける比較結果に基づいて、加入者に利用できるサービスに対応するメッセージを表示する表示ステップとを有し、
前記表示ステップでは、前記比較ステップにおける比較結果、１つ以上のサービスゾーンにより提供されるサービスが利用可能であるときには、より高位の優先順位がつけられたサービスゾーンに関するメッセージを表示する方法。
【請求項１３】
請求項１２記載の方法において、前記通知するステップは、優先順位の順番で前記利用可能なサービスゾーンに関連した情報を通知することを含む方法。
【請求項１４】
請求項１３記載の方法において、前記順番の優先順位は、送信された最初の利用可能なサービスゾーンに関連した情報に関連する最高優先順位から、送信された最後の利用可能なサービスゾーンに関連した情報に関連する最低優先順位までである方法。
【請求項１５】
請求項１３記載の方法において、前記順番の優先順位は、送信された最初の利用可能なサービスゾーンに関連した情報に関連する最低優先順位から、送信された最後の利用可能なサービスゾーンに関連した情報に関連する最高優先順位までである方法。
【請求項１６】
請求項１２に記載の方法において、前記システムのネットワーク側では、さらに
システム内の複数のサービスゾーンを定義するステップと、
前記サービスゾーン内に位置しているときの加入者に所定のサービスを送信するステップとを含む方法。
【発明の詳細な説明】
発明の背景
発明の技術分野
本発明は、セルラー電話システムに関し、より詳細には、加入者の位置に基づく各種セルラー電話サービスを受ける加入者に、優先順位がつけられた挨拶を送る方法および装置に関する。
関連技術の説明
従来の有線電話サービス・プロバイダは、通話保留時間、通話距離、一日の時間帯および曜日を含むいくつかの価格決定構造（pricing structure）パラメータを考慮することにより、加入者サービスおよび電話の呼に基づいて料金月ごとに課金する。電話サービスを提供するために使用される物理施設は、一般に決まった位置に設置されることが本来の姿であるから、通話は、１つの既知の一定地理的位置から他の地理的位置に対して行われるという事実と相まって、その地理的位置に付随する料金と、その地理的位置において利用可能な電話サービスの種類について、ユーザは一般的な理解を持っているものと考えてよい。したがって、位置が決まっている以上、発呼者に対して、その位置にいる加入者に利用可能なサービスを知らせる必要はまったくない。
しかし、システムのユーザが、呼を発信したり受信したりする位置に関する地理的制約をほとんど受けないか、全く受けないことがセルラー電話網の本質であるから、異なるいろいろな位置にいる加入者に対し、どんなサービスが利用できるかということを決定することは、さらに重要な特徴である。提供されるサービスは、上記有線電話におけるパラメータのいくつか、またはすべてに基づいて変わるだけでなく、利用可能ないくつかのセルラーサービス・プロバイダのうちのどの１つのプロバイダが呼を運ぶかという要因、および、加入者が自分のサービスエリアの外でローミングできるか否かという要因に基づいても変わる。一般に加入者は、前述の要因が、各呼に対して利用可能な瞬間的サービスにどんな影響を与えるかということを知らないのであるから、呼に利用できるサービスについて、推測以上のことができるとは思われない。
その開示内容を本願に組み入れた、１９９５年３月９日付けのＴＤＭＡフォーラム、「実施のための指針：ＩＳ−１３６に準拠する移動機における非公衆モードの運用と選択（Implementation Guide:Non-Public Mode Operation and Selection in IS-136 Compliant Mobile Stations）」で論議されたとおり、セルラー電話システムの加入者に対して、英数字タグつまり挨拶（greeting）を送るステップがセルラー産業に現在取り入れられている。この挨拶はオプションとしての機能であって、たとえばサービスゾーンの識別情報および課金情報など、提供されるサービスを識別する英数字のメッセージを加入者が受信できるようにする。挨拶サービスは音量通知（tone notification）とは無関係である。
位置に基づくサービス（location based services）のために用意された新しい規定（provision）があるが、この規定では、ユーザが位置しているゾーンの位置に対して各サービスプロフィールが定義されている場合、ユーザプロフィールに、そのユーザのためのいくつかのサービスプロフィールを含めることができる。位置に基づくサービスは、本発明のどこにも扱われていないので、たとえば、住宅用地域と業務用地域の場所に対してオーバーラップしているサービスゾーンなど、オーバーラップしているサービスゾーンで、１ユーザに対して１つまたはそれ以上のセルが定義される場合のようなサービスに関連するシステム挨拶に対する課題が潜在している。したがってセルラー電話通信システムは、あらかじめ定義されたサービス（以下、所定のサービスという）のどれが使用でき、どのシステム名の挨拶が表示できるか決定することができない。
発明の要約
本発明は、加入者の（its）現在位置で適用できる所定のサービスのタイプを加入者に勧める挨拶を送るセルラー電気通信システムに向けられている。より明確には、本発明は、セルのサービスエリアが、１つ以上の所定のサービスを加入者に提供するように定義されているとき、挨拶に関連する優先順位を設定することに向けられている。
本発明の１つの側面によれば、加入者が位置している複数のサービスゾーンのどれか１つに依存して、自システムの（its）加入者に、所定のサービスの優先順位がつけられた挨拶を送るセルラー通信システムが提供されている。このシステムには、加入者が異なる所定のサービスを受けることに関連する優先順位をもつ加入者ゾーンプロフィール情報を、加入者のそれぞれに通知する通知手段が含まれている。このシステムには、加入者ゾーンプロフィール情報をサービスゾーンと比較して、所定のサービスが加入者に適用可能であることを決定する比較手段も含まれている。挨拶手段は、比較手段に応答し、加入者に利用できる所定のサービスを識別して加入者に挨拶を送るシステムの重要な役割を形成する。この挨拶手段は、比較手段が、１つ以上の所定のサービスが適用可能であると決定すると、より高位の優先順位がつけられたゾーンプロフィール情報に関する挨拶を送る。
加入者ゾーン情報は、優先順位の順番で送信されることが望ましい。この順番の優先順位は、望ましくは、送信された第１の加入者ゾーン情報に関連する最高優先順位から、送信された最後の加入者ゾーン情報に関連する最低優先順位までである。これに代わるものとして、この順番の優先順位は、望ましくは、送信された第１の加入者ゾーン情報に関連する最低優先順位から、送信された最後の加入者ゾーン情報に関連する最高優先順位までであるとしてもよい。
本発明の別の側面によれば、自システム（its）の加入者に所定のサービスの優先順位がつけられた挨拶を送るセルラー通信システムが提供されている。このシステムには、システム内の複数のサービスゾーンを識別する手段が含まれている。さらにこのシステムには、サービスゾーン内に位置しているときの加入者に所定のサービスを送信する手段と、各サービスゾーンから、そのサービスゾーンに位置している加入者のそれぞれに、その（its）サービスゾーン識別情報を送信する手段とが含まれている。またこのシステムには、異なる所定のサービスを加入者が受けることに関連する優先順位をもつその（its）加入者ゾーンプロフィール情報を加入者のそれぞれに送信する手段も含まれている。このシステムには、加入者ゾーンプロフィール情報を、送信されたサービスゾーン情報と比較する手段と、比較手段に応答し、加入者に利用できる所定のサービスを識別して、その加入者に挨拶を送る挨拶手段とが含まれている。この挨拶は、ゾーンプロフィール情報が、サービスゾーン識別情報と一致すると送信される。この挨拶手段は、比較手段が、１つ以上の所定のサービスが適用可能であると決定すると、より高位の優先順位がつけられた加入者ゾーンプロフィール情報に関する挨拶を送る。
望ましくは、各サービスゾーンから、そのサービスゾーンに位置している加入者のそれぞれにサービスゾーン識別情報を送信する手段は、１セルづつゾーン識別情報を送信する。このゾーン識別情報は、特定のセルが１つまたはそれ以上のゾーンに属していることの確認である。サービスゾーン識別情報を送信する手段は、ＭＳＣに電子的に接続されている基地局である。
この加入者ゾーン識別情報は、望ましくは、個人用システム識別番号（private system ID）（ＰＳＩＤ）または住宅用システム識別番号（residential system ID）（ＲＳＩＤ）のいずれかのリストである。この加入者ゾーン情報は、加入者の登録が完了すると送信されて、その加入者の端末に格納される。ＰＳＩＤおよびＲＳＩＤは、望ましくは優先順位の順番で加入者に送信されることにより、加入者は、これらの加入者ゾーン情報の１つ以上が、特定のセルの無線基地局から送信されたゾーン識別情報と一致するときに送信される最初のＰＲＩＤ／ＲＳＩＤを信頼する。加入者ゾーン情報は、望ましくはホームロケーションレジスタ（ＨＬＲ）に格納され、ＭＳＣに対する加入者の登録が完了すると、加入者ゾーン情報は、ＭＳＣを介してＨＬＲから加入者に送信される。
本発明の別の側面によれば、セルラー通信システムにおける複数のサービスゾーンのどの１つに加入者が位置しているかに依存して、自システムの（its）加入者に対する所定のサービスの挨拶に優先順位をつける方法が提供されており、この方法には、
前記加入者のそれぞれに、加入者が異なる所定のサービスを受けることに関連する優先順位をもつ該加入者の（its）加入者ゾーンプロフィール情報を通知するステップと、
加入者ゾーンプロフィール情報をサービスゾーンと比較して、所定のサービスが前記加入者に適用可能であることを決定する比較ステップと、
該比較ステップが、１つ以上の所定のサービスが適用可能であると決定すると、該挨拶が、より高位の優先順位がつけられたゾーンプロフィール情報に関連する場合、加入者に利用できる所定のサービスを識別して、前記加入者に挨拶を送るステップと、
が含まれている。
【図面の簡単な説明】
添付の図面とともに以下の詳細な説明を参照することにより、本発明の方法および装置をより完全に理解できるであろう。図面中、
図１は、本発明のセルラーシステムにおける複数のサービスゾーンを含むためのセルラーサービスエリアの一部の細分を示す。
図２は、本発明のセルラーシステムにおけるセルとサービスゾーンとの間の関係を示す。
図３は、本発明のセルラー通信システムを示すブロック図である。
図４は、本発明のセルラーシステム内のメッセージ転送を示す流れ図である。
図５は、本発明のシステムにおいて動作可能な移動機の単純化されたブロック図である。
実施例の詳細な説明
次に図１を参照すると、少なくとも１つのサービス・プロバイダによって、複数の加入者１４にセルラー通信システムのサービスエリアが提供される恣意的な地理的エリア１０が示されている。セルラーサービスエリア１０は、複数のサービスゾーンＺ１，Ｚ２，Ｚ３，Ｚ４，Ｚ５，Ｚ６およびＺ７（つまり、Ｚ１〜Ｚ７）を含むように細分されており、このサービスエリア内の１つのサービスゾーンは、別のサービスゾーンに隣接、オーバーラップまたは連続していてもよいが、必ずしもその必要はない。簡潔にするため、Ｚ１からＺ７の７つのゾーンだけが示されている。さらにエリア１０のいくつかの部分は、セルラー通信のサービスエリアを提供するために含まれるが、サービスゾーンＺ１〜Ｚ７のどれにも含まれていなくてよい。エリア１０内の各サービスゾーンＺ１〜Ｚ７のセルおよび／またはサービスエリアは、望ましくはセルラーサービス・プロバイダによって選択され、そのセルラーシステムの移動体通信交換センタ（ＭＳＣ）内で定義されかつ識別される。
サービスゾーンＺ１〜Ｚ７は、加入者が所定のサービスゾーンＺ１〜Ｚ７の認可された１つに位置しているときに呼が発生すると、このサービスに参加する加入者１４に増加したサービスにアクセスする資格を与える、所定の特殊サービスの提供（provision）を容易にしている。これらのサービスは、無線基地局（ＢＳ）およびＭＳＣから加入者１４に送信される。各加入者は、サービスゾーンＺ１〜Ｚ７の１つの特殊サービスを受けるよう認可されうるが、エリア１０内のサービスゾーンの他の１つの中で同時にそのうような認可はされないことを認識されたい。加入者が、そのサービスゾーンＺ１〜Ｚ７の認可された１つの外に位置しているときに呼が発生すると、その加入者は従来のサービスにアクセスすることができる。所与のどのゾーンでも利用可能な所定のサービスを加入者に通知するため、加入者に挨拶が送られる。加入者は、サービスゾーンＺ１〜Ｚ７の１つ以上にアクセスすることができる。たとえば、図１に示すように、ある加入者は、３ゾーン（ホームゾーンＺ２、交通機関専用（transportation corridor）ゾーンＺ６およびオフイスゾーンＺ７）を含むため、複数の加入者ゾーンプロフィールをもつことができるであろう。他のゾーンより高い挨拶の優先順位を１つのゾーンに与えるためには、所与のどれかのゾーンにいる加入者の端末に、その挨拶に関する優先順位情報を格納する。
加入者端末に対するシステム挨拶の目的は、所与のどのゾーン内の加入者にも適用できる所定のサービスを、加入者１４に通知することである。この挨拶は、望ましくは、加入者の端末で表示されるテキストの形で格納される。挨拶のテキストは、所定のサービスのデータの重要な役割として、ホームロケーションレジスタに格納される。挨拶は、地理的サービスゾーンＺ１〜Ｚ７のそれぞれに定義されうることを理解されたい。移動機端末における挨拶のテキストは、移動機が１つのサービスゾーンから別のゾーンに行こうとするときに更新される。この更新は、アイドル（無通話）モードにおけるゾーン変更中、通話モード中のハンドオフの発生時、さらにはディジタル基地局のコマンドによりイネーブルされた場合の各呼の開始時点で発生する。
所定のサービスによれば、参加中の各加入者は、彼自身または彼女自身のために、プロバイダが定義した１つまたはそれ以上のサービスゾーンＺ１〜Ｚ７で構成された加入者ゾーンプロフィールを選択することができる。所与のどれかの加入者ゾーンプロフィールとして選択されたサービスゾーンＺ１〜Ｚ７は、必ずしも連続、隣接またはオーバーラップしている必要はないことが理解できるであろう。さらに１加入者以上が、同一加入者ゾーンプロフィールを共用することができる。所定のサービスは、その（its）加入者ゾーンプロフィールへ含まれている（for inclusion）ため、加入者によって選択されたサービスゾーンＺ１〜Ｚ７の１つに加入者が位置しているときに呼が発生すると、特殊なセルラーサービスを用いて、参加中の加入者に、セルラー電話の呼を発信したり受信したりする資格を与える。
次に図２を参照すると、複数の（六角形で表された）セル２０からなるセルラーサービスエリア１０の一小部分が示されている。（わかりやすくするため輪郭が太線で描かれた）典型的な複数のサービスゾーンＺ８〜Ｚ１１がエリア１０の中に示されている。ゾーンＺ８〜Ｚ１１は、所定のサービスが提供される地理的エリアの境界を定めるように、サービス・プロバイダによって定義される。各サービスゾーンＺ８〜Ｚ１１には、１つまたはそれ以上のセル２０が含まれ、エリア１０の中のセルは、サービスゾーンＺ８〜Ｚ１１の１つまたは１つ以上の中に属していてもよく、それらのいずれにも属していなくてもよい。加入者のゾーンプロフィールは、サービスゾーンＺ８〜Ｚ１１から集められる。所与のどれかの加入者ゾーンプロフィールに対するサービスゾーンは、必ずしも相互に隣接している必要はなく、セル１６のようなセルの中でオーバーラップしていてもよい。セル１６は、２つまたはそれ以上のゾーンＺ１０，Ｚ１１の中で定義される。つまり、所定のサービスの２つの異なるセットを加入者に利用できるようにするセルのオーバーラップがありうるのである。本発明が挨拶に優先順位をつけることを取り扱っているのは、このオーバーラップしている条件の場合である。
セルラーサービスエリア１０のいたるところに散在しているセル２０は、異なるセルラーサービス・プロバイダによるサービスを受けることができる。しかし、サービスゾーンＺ８〜Ｚ１１は、単一サービス・プロバイダによるサービスを受けるセル２０を含むことが望ましい。したがって一般には、提供される所定のサービスは、その実施に融通性があり、１つのサービス・プロバイダによる提供（provision）または複数の非協力的なサービス・プロバイダによる提供、または１つの移動体通信交換センタのサービス責任の中に限定されないことを認識されたい。サービスゾーンＺ８〜Ｚ１１の広さと、参加中の加入者に利用可能な特殊サービスとに関するサービス・プロバイダ間の協定は、サービスの効率的提供を容易にするであろう。
次に図３を参照すると、移動機（ＭＳ）３０、基地局（ＢＳ）３２および少なくとも１つの移動体通信交換センタ（ＭＳＣ）３４を含むセルラー電話サービス２８によって、セルラーサービスエリア１０の中でセルラー電話サービスが提供されている。移動機つまり端末３０は各加入者によって運ばれ、無線周波通信リンクによる、当業者には公知の方法で基地局３２と交信する。各基地局３２は、セル２０（図２）内に位置しており、望ましくは、有線回線または無線周波リンクを介して基地局に関連する移動体通信交換センタ３４に接続される。移動体通信交換センタ３４は、公衆交換電話網（ＰＳＴＮ）または他の公知の通信網に接続され、移動機３０を使用する加入者によって発信または受信されるセルラー通信の呼を、基地局３２を介して処理しかつ交換するように機能する。勿論、複数の移動体通信交換センタ３４は、エリア１０をカバーする基地局３２と接続する必要があり、１つの加入者ゾーンプロフィールのために、サービスゾーンＺ８〜Ｚ１１内のセル２０が、異なる移動体通信交換センタ３４からサービスを受けることができることが理解されるであろう。さらに上記考察の通り、加入者にサービスを提供することに複数のサービス・プロバイダを含めることができる。しかし、所定のサービスの実施を容易にするためには、所与のサービスゾーンＺ８〜Ｚ１１のどのセル２０も、１つの移動体通信交換センタ３４からサービスを受け、単一サービス・プロバイダによって管理されることが好ましい。
セル２０のそれぞれには、最も近くの移動機３０との通信を容易にするように構成された少なくとも１つの基地局３２が含まれている。図面には示されていないが、基地局３２は、各セルの中心または中心の近くに置かれるのが普通である。しかし、地理的要因または他の公知の要因によっては、基地局３２は、各セルの周辺または周辺の近辺、さもなければ各セルの中心から離れたところに設置されてもよい。このような場合、基地局３２は、無指向性アンテナよりもむしろ指向性アンテナを使用して放送することもできるし、セルに位置している加入者によって運ばれる移動機３０と交信することもできる。基地局３２のそれぞれ１つには、当業者には公知の方法と構成によりアンテナに接続された送信機、受信機および基地局コントローラが含まれる。
セルラーシステム２８によって実施される所定の特殊サービスは、加入者の位置に基づくサービスを参加中の加入者に提供するという利点がある。その加入者に関する加入者位置は、そのゾーンのゾーンプロフィールであって、位置は、そのとき、呼が発信されたか、受信されたか、ハンドオフされたかのいずれかである加入者移動機３０の通信を、どの基地局３２（つまりセル２０）が処理しているかによって決定される。
加入者ゾーンプロフィールは、ゾーンに分類されたセルに関して、ＨＬＲ７４で定義される。ゾーンプロフィールはＨＬＲ７４に格納され、ＭＳＣ３４で個人用システム識別番号（ＰＳＩＤ）に翻訳される。加入者ゾーン情報識別番号（subscriber zone information id）は、ＩＳ−１３６で定義されている［登録受理］（Registration Accept）メッセージを使用して、ＰＳＩＤリストとして端末にダウンロードされる。使用されるＰＳＩＤの値の範囲は、所与のＳＩＤに対して全ＰＳＩＤがユニークであるようにする。セルが属する適切なサービスゾーン（ＰＳＩＤリスト）は、セルごとに放送される。この放送によって、ＭＳ３０は、いつ、ある加入者ゾーンの中にいるかということを連続して知ることができる。挨拶サービスは、ゾーン（ＰＳＩＤ）ごと（on a per zone（PSID）basis）にテキストストリングを関連づけかつ表示する能力を備えている。どのゾーンにも属さない位置にいるＭＳ３０で表示される（ＨＬＲに格納さた）規定値の挨拶ストリング（greeting default string）がある。
この方法は、挨拶を格納するＭＳつまり端末３０に基づいている。あるセル内に端末が位置していると、そのセルに関連するＰＳＩＤリストが放送される。この情報を獲得すると、その端末は、そのセルに対して放送されたＰＳＩＤリストを、その端末に関連して格納されているリストと比較する。一致していれば正しい挨拶が表示され、そうでない場合は、規定値の挨拶が表示される。
図４を参照すると、優先順位がつけられた順番にしたがってＭＳ３０にゾーン情報リスト項目（zone information listing）がダウンロードされる方法のメッセージダイアグラムが示されている。ＭＳ３０の電源が投入されると、ＭＳ３０は、ライン１００で、ローカルＢＳを介してＭＳＣ３４に登録要求を送る。次にＭＳＣは、１１０でＢＳを介して登録受理メッセージを返す。次にＭＳＣは、１１２でＨＬＲ７４にユーザプロフィール要求を送る。ＨＬＲ７４は、そのレコードをチェックしてユーザのゾーンプロフィールのリスト項目を決定し、ライン１１４で、ゾーン情報の形でこの情報をＭＳＣに送り返す。次に１１６でＭＳＣがＭＳ３０に監査命令を送ると、ＭＳ３０は、ライン１１８でこの監査命令を確認する。監査命令が確認されると、ライン１２０でＭＳ３０からＭＳＣ３４への強制登録になる。次にＭＳＣ３４は、１２２で登録受理メッセージを送り返すが、このメッセージには、ＭＳＣを介して、ＨＬＲのゾーン情報リスト項目からＭＳＣのＰＳＩＤのリスト項目に翻訳されたＰＳＩＤリスト項目が含まれている。このリストでゾーンごとのセルが識別されるので、各ゾーンが優先順位の順番で送信される。すなわち、端末３０が挨拶すべき複数のサービスゾーンの中にオーバーラップがあると、その端末は、登録受理１２２メッセージ中に、自端末に送り返された最初のＰＳＩＤに関連する挨拶を送る。
このように、ＭＳの電源が投入されると、ＭＳは、登録処理中にＰＳＩＤリスト項目を受信し、ＭＳはその中のサービスを受ける。同時に、ＭＳをＭＳＣに接続することを仲介するセル２０のＢＳは、そのＢＳ自身のＰＳＩＤ識別番号のリストとともにセル識別番号を放送する。ある場合には、このセル識別番号つまりＰＳＩＤリスト項目は、１つ以上のＰＳＩＤリスト項目と一致することがありうるので、ＭＳは、どちらのゾーンつまりどちらのＰＳＩＤ識別番号が優先しているか決定しなければならない。ＭＳつまり端末は、セルが放送された（cell broadcast）ＰＳＩＤリスト項目を、登録時に送信されたＰＳＩＤリストと比較する。通常は、両リスト項目が一致していると、端末はそのゾーンに関連するメッセージを表示する。セルが放送されたＰＳＩＤリストにより、そのセルは、登録時に端末に放送されたゾーンの１つ以上の中にあると定義されると、端末は、その端末に送信された最初のゾーンのＰＳＩＤリストに対応するメッセージを表示する。
次に図５を参照すると、トランシーバ８８に接続されたプロセッサ８６を含む移動機３０の単純化されたブロック図が示されている。セルラー電話網で通信を送・受信するため、トランシーバ８８にアンテナが接続されている。移動機３０には、電話による音声通信を容易にするため、プロセッサ８６に接続されたマイクロホン９２およびスピーカ９４も含まれている。表示パネル９６およびキーパッド９８も移動機に含まれており、プロセッサ８６に接続されている。
本発明の方法と装置の好適実施例を添付の「図面」で示すとともに、前述の「詳細な説明」で説明してきたが、本発明は、開示された実施例に限定されるものではなく、以下の請求の範囲により開示され定義される本発明の趣旨から逸脱することなく、多くの再配置、修正および代替が可能であることが理解されるであろう。
【図１】
0003987111.tif 000002
【図２】
0003987111.tif 000003
【図３】
0003987111.tif 000004
【図５】
0003987111.tif 000005
【図４】
0003987111.tif 000006